(57)【要約】【課題】部屋の中の柱へも簡単な作業で施工可能な既設木造建築物の補強具を提案する。【解決手段】本発明の補強具は、布基礎Ａの側面に対し鋭角に立ち上がる係止片１ｂを備えた布基礎固定部材１と、その係止片１ｂに基端側２ａが係止するとともに係止片１ｂを貫通して先端側２ｂが突出し、この突出した先端側２ｂが布基礎上の土台Ｂに立てられた柱Ｃへねじ込まれるボルト部材２とから構成される。布基礎Ａに固定された布基礎固定部材１の係止片１ｂから斜めに延びるボルト部材２を柱へねじ込む方式としたので、床の有無に関係なく床下から簡単に施工できる。【選択図】　図１
2004011231.tif 000002
【特許請求の範囲】
【請求項１】
布基礎の側面に対し鋭角に立ち上がる係止片を備えた布基礎固定部材と、前記係止片に基端側が係止するとともに該係止片を貫通して先端側が突出し、この突出した先端側が前記布基礎上の土台に立てられた柱へねじ込まれるボルト部材と、から構成されることを特徴とする補強具。
【請求項２】
ボルト部材のねじ山が、ねじ込み方向には鈍角の傾斜面をもつとともに引き抜き方向には直角もしくは鋭角の抵抗面をもつ請求項１記載の補強具。
【請求項３】
布基礎固定部材は、布基礎の側面上に固定する固定プレートと、該固定プレート上に固定する係止片と、からなる請求項１又は請求項２記載の補強具。
【請求項４】
布基礎固定部材は、固定プレートと係止片とに分離して形成されており、前記固定プレートを布基礎に固定するとともに該固定プレートと前記係止片とを弾性体を介して連結してある請求項１又は請求項２記載の補強具。
【発明の詳細な説明】
【０００１】
【発明の属する技術分野】
本発明は、既設建築物に対する補強技術に関し、特に、軸組工法による木造建築物の耐震性向上に最適な補強具に関する。
【０００２】
【従来の技術】
本願出願人は先に、既存の木造建築物、特に既設住宅に適した補強構造として、特許第３２４１６０６号を提案している。当該技術は、既設住宅に対して外側から簡単な作業で施工でき、耐震性向上に大きく貢献するという点で大変優れている。
【０００３】
【発明が解決しようとする課題】
この従来技術は、外壁上からの簡単な作業で施工できるという点で非常に優れているが、構造上、外壁に沿って立てられている柱にしか適用できない。すなわち、部屋の中にある柱に対しては、床があって「連結体」を柱と布基礎とに差し渡せないことから、施工に難がある。
【０００４】
そこで本発明では、部屋の中の柱へも簡単な作業で施工可能な補強具を新たに提案するものである。
【０００５】
【課題を解決するための手段】
本発明の補強具は、布基礎の側面に対し鋭角に立ち上がる係止片を備えた布基礎固定部材と、その係止片に基端側が係止するとともに該係止片を貫通して先端側が突出し、この突出した先端側が布基礎上の土台に立てられた柱へねじ込まれるボルト部材と、から構成されることを特徴とする。
【０００６】
この補強具によると、上述の特許発明における「連結体」に代わって、布基礎に固定された布基礎固定部材の係止片から斜めに延びるボルト部材を柱へねじ込む方式としたので、床の有無に関係なく施工できる。その作業も、床下の布基礎に布基礎固定部材をアンカーボルトで固定し、これによって布基礎側面から斜めに立ち上がっている係止片に、ボルト部材を挿通して先端側を柱へねじ込み、そして基端側をナット等で係止片へ係止させるという簡単なものですむ。
【０００７】
このような補強具におけるボルト部材は、そのねじ山について、ねじ込み方向には鈍角の傾斜面を形成する一方、引き抜き方向には直角もしくは鋭角の抵抗面を形成するのがよい。すなわち、施工後に引き抜き方向への力がかかったときの抵抗力を向上させることができる。
【０００８】
また、布基礎固定部材については、係止片を一体成形した板状のものとすることも可能であるが、布基礎の側面上に固定する固定プレートと、該固定プレート上に固定する係止片と、の２部品製としておくと、固定プレート及び係止片のそれぞれについて形を変えたものを多種類用意し、これらを、布基礎と土台、柱の建築状態に応じ適宜組み合わせることで、その場で臨機応変に対処することができるようになる。また、床下という狭いスペースへ入り込んでの作業となるので、部材を極力小さくしてかさばらないようにし、且つ、一度の作業で施工対象箇所をすべて終えられるように、できるだけ多種類の組み合わせを可能とすべく多くの部品をもって入れるようにすることが望まれるが、２部品製とすることで一つ一つの部品サイズを小さくすることができるので、その要望にも応えられる。
【０００９】
さらに、地震時などの揺れにある程度追随できるようにする目的で、布基礎固定部材を、固定プレートと係止片との２部品に分離して形成し、その固定プレートを布基礎へ固定するとともにこの固定プレートと係止片とを弾性体を介して連結した構造とすることもできる。その弾性体としてはバネ、ゴム、油圧ダンパなどを利用可能で、このようにすることで、弾性体の弾力により二つの部品の間隔が変化して柱の揺れに追随し、ボルト部材からかかる力で柱が裂けたりする可能性を低減できる。
【００１０】
【発明の実施の形態】
図１及び図２に、本発明の一実施形態を施工後の斜視図と断面図で示してある。
【００１１】
本例の補強具は、布基礎固定部材１とボルト部材２とから構成されている。布基礎固定部材１は、布基礎Ａの側面上に固定される固定プレート１ａと、この固定プレート１ａ上に固定される係止片１ｂと、を備えている。これら固定プレート１ａと係止片１ｂとは、４本のボルト＆ナット１ｃで一体的に布基礎Ａに固定されている。そのボルト１ｃは、布基礎Ａにケミカルアンカー（図示略）を打ち込んだところへねじ込んである。
【００１２】
固定プレート１ａは、本例の場合、長方形の金属板である。一方、係止片１ｂは短冊状の金属板であり、固定プレート１ａから突出した端部１ｄが、布基礎Ａの側面に対し鋭角に立ち上がっている。この立ち上がり角度により、ボルト部材２の差し込み角度が決まり、土台Ｂを超えて柱Ｃまでボルト部材２を到達させられるようになっている。
【００１３】
ボルト部材２は、係止片１ｂを貫通して柱Ｃへねじ込まれており、係止片１ｂにはそのための貫通孔が設けられている。ボルト部材２の基端側にはナット螺合部２ａが形成されており、柱Ｃへ十分にねじ込んだ後にナットを締め込むことで係止片１ｂに係止する。ボルト部材２のねじ込みにあたっては、予め柱Ｃにねじ込み用の穴を開け、該穴に樹脂を注入して乾く前にボルト部材２をねじ込む工程としておくとよい。すなわち、ボルト部材２の周囲に樹脂が含浸されて強度が増し、引き抜き力に対しより強くなる。
【００１４】
このボルト部材２の詳細を図３に示してある。基端側にナット螺合部２ａが形成され、先端側にねじ山部２ｂが形成されている。そのねじ山部２ｂは、先端へ向かうほど先細りとされ、先端から半分ほどまでにスリット２ｃが４本等間隔で入っている。また、ねじ山部２ｂに形成された各ねじ山は、矢印Ｘで示すねじ込み方向には、該ねじ込み方向に対し鈍角となった傾斜面２ｄが形成され、その裏面、つまり矢印Ｙで示す引き抜き方向には、該引き抜き方向に対し直角もしくは鋭角となった抵抗面２ｅが形成されている。これにより、柱Ｃへのねじ込み時には低抵抗となる一方、引き抜く方向には高抵抗となり、ねじ込みやすく抜けにくいという効果が得られる。
【００１５】
このボルト部材２は、ねじ込み作業時にはナット螺合部２ａの頭頂部に袋状ナットを螺合させ、この袋状ナットを利用することで柱Ｃへねじ込むことができる。そして、十分にねじ込み終わったところで袋状ナットを外して今度は貫通式の係止用ナットを螺合させ、該ナットを締め込むことで係止させることができる。
【００１６】
図４に、布基礎固定部材１の応用例を示してある。図４（Ａ）及び（Ｂ）は固定プレート１ａの例で、（Ａ）の固定プレート１ａは図１及び図２に示したフラットタイプのものである。一方、（Ｂ）の固定プレート１ａは、布基礎Ａのコーナー部分への適用を考慮したもので、２つの固定部１ａ−１が中央部１ａ−２を挟んで９０°の角度で形成され、その固定部１ａ−１をそれぞれ対応する布基礎Ａへ固定し、そして中央部１ａ−２に係止片１ｂをボルト＆ナットにて固定するようにして使用される。
【００１７】
図４（Ｃ）及び（Ｄ）は係止片１ｂの例で、（Ｃ）の係止片１ｂは、図１及び図２に示したように、柱Ｃの真下に布基礎固定部材１を設置できる場合に使用するタイプで、端部１ｄがまっすぐ真上を向いて立ち上がっている。一方、（Ｄ）の係止片１ｂは、柱Ｃの真下からずれた位置にしか布基礎固定部材１を設置できないような場合に使用するもので、端部１ｄが本例では右斜め上を向いて立ち上がっている。もちろん、左斜め上にすることも当然可能である。これら各種の固定プレート１ａ及び係止片１ｂを適宜組み合わせた施工例を図５及び図６に示す。
【００１８】
図５は、図４（Ｂ）の固定プレート１ａと（Ｃ）の係止片１ｂを組み合わせた例で、布基礎Ａのコーナ部分に（Ｂ）の固定プレート１ａが９０°の固定部１ａ−１によりボルト＆ナット１ｃで固定されるとともに、その中央部１ａ−２に（Ｃ）の係止片１ｂがボルト＆ナット１ｃで固定されている。これにより、コーナー部の土台Ｂ上に立てられた柱Ｃへボルト部材２を向けられ、ねじ込むことができる。
【００１９】
図６は、図４（Ａ）の固定プレート１ａと（Ｄ）の係止片１ｂを組み合わせた例である。本例は、布基礎Ａにコーナー部分はなく、土台ＢだけがＴ字状に組み付けられている箇所への適用例で、このような場合、図４（Ｂ）の固定プレート１ａは使用できない。そこで、フラットタイプの（Ａ）の固定プレート１ａと斜め上立ち上げ端部１ｄをもつ（Ｄ）の係止片１ｂとを組み合わせることにより、ボルト部材２を右斜め上に向けることで対処している。
【００２０】
このように、たとえば図４に示したような各種形状の固定プレート１ａ及び係止片１ｂを現場に持ち込んでおけば、その組合わせ方により、どのような建築状況にもその場で対応することが可能である。
【００２１】
図７に示してあるのは、振動追随式の布基礎固定部材１０を使用した例である。この布基礎固定部材１０は、固定プレート１０ａと係止片１０ｂとに分離されており、固定プレート１０ａは、ボルト＆ナット１０ｃにより布基礎Ａへ固定されている。この固定プレート１０ａには、ほぼ９０°に曲折された舌片部分１０ｄが形成されている。一方、係止片１０ｂは、上記の例同様に一方の端部１０ｅが布基礎Ａの側面に対し鋭角に立ち上がり、ボルト部材２を挿通・係止させるようになっているが、他方の端部１０ｆは、ほぼ９０°に曲折されている。
【００２２】
この固定プレート１０ａの舌片部分１０ｄと係止片１０ｂの他方の端部１０ｆとは、弾性体としてコイルスプリング１０ｇを介して連結されており、ボルト＆ナット手段１０ｈによりその間隔を決められている。すなわち、ボルト＆ナット手段１０ｈの締め加減により、コイルスプリング１０ｇの弾発力を調整することができるようになっている。
【００２３】
この例によると、柱Ｃが地震などで揺れた場合に、内側への揺れに対しては、コイルスプリング１０ｇの弾性力により固定プレート１０ａと係止片１０ｂとの間隔が縮むことで追随する作用を得られる。また、ボルト＆ナット手段１０ｈの締め加減により固定プレート１０ａと係止片１０ｂとの間隔を調整できるので、係止片１０ｂの高さ調整を行え、ボルト部材２を最適箇所へねじ込む微調整を現場で行えるという利点ももつ。
【００２４】
【発明の効果】
本発明によると、室内の柱に対して床下からの簡単な作業で施工できる補強具が提供され、既設木造建築物の耐震強化に特に貢献する。また、布基礎及び土台、柱の建築状態に応じて適宜形状を変えて施工できるので、コーナー部分や、あるいはねだがけ等が張られている場所であっても、適宜形状を調整することで、場所を選ばず設置可能である。
【図面の簡単な説明】
【図１】本発明に係る補強具の一実施形態を示した施工状態の斜視図。
【図２】図１の実施形態の断面図。
【図３】ボルト部材の実施形態を示した側面図。
【図４】布基礎固定部材を構成する固定プレート及び係止片の各種実施形態を示した斜視図。
【図５】本発明に係る補強具の他の実施形態を示した施工状態の斜視図。
【図６】本発明に係る補強具のさらに他の実施形態を示した施工状態の斜視図。
【図７】本発明に係る補強具のさらに他の実施形態を示した施工状態の側面図。
【図８】図７の布基礎固定部材の正面図。
【符号の説明】
１，１０　布基礎固定部材
１ａ，１０ａ　固定プレート
１ｂ，１０ｂ　係止片
２　ボルト部材
２ａ　基端側（ナット螺合部）
２ｂ　先端側（ねじ山部）
Ａ　布基礎
Ｂ　土台
Ｃ　柱
【図１】
2004011231.tif 000003
【図２】
2004011231.tif 000004
【図３】
2004011231.tif 000005
【図４】
2004011231.tif 000006
【図５】
2004011231.tif 000007
【図６】
2004011231.tif 000008
【図７】
2004011231.tif 000009
【図８】
2004011231.tif 000010